(57)【要約】【課題】隣り合うキャビティ内に挿入されている端子金具間における電流のリークを防止する。【解決手段】後端面に開口するように複数のキャビティ１１が並んで形成されているハウジング１０と、キャビティ１１に後方から挿入される端子金具２０とを備え、電線圧着部２２は、前端側領域のワイヤバレル部２３と後端側領域のインシュレーションバレル部２４とから構成され、両バレル部２３，２４はその底壁２３Ａ，２４Ａ同士において互いに連なっている。ハウジング１０の後端部には、キャビティ１１の内周面からハウジング１０の後端面に至る領域内の少なくとも一部を屈曲させた形態の屈曲面１３が形成されている。【選択図】図１
2010040453.tif 000002
【特許請求の範囲】
【請求項１】
後端面に開口するように複数のキャビティが並んで形成されているハウジングと、
前記キャビティに後方から挿入される端子金具と、
前記端子金具のオープンバレル状の電線圧着部に接続された電線とを備え、
前記電線圧着部は、前端側領域に配置されて電線の導体を圧着させるワイヤバレル部と、後端側領域に配置されて前記電線の絶縁被覆で覆われた部分を圧着させるインシュレーションバレル部とから構成され、
前記ワイヤバレル部と前記インシュレーションバレル部は、その底壁同士において互いに連なった形態となっているコネクタにおいて、
前記ハウジングの後端部には、前記キャビティの内周面から前記ハウジングの後端面に至る領域内の少なくとも一部を屈曲させた形態の屈曲面が形成されていることを特徴とするコネクタ。
【請求項２】
前記屈曲面は、前記キャビティの内周面に形成され、後方に向かって前記キャビティの横断面積を順次に拡大させるように段差状に屈曲した形態であることを特徴とする請求項１記載のコネクタ。
【請求項３】
前記屈曲面は、前記ハウジングの後端面を前記キャビティの開口を囲むような溝状に凹ませることによって形成されていることを特徴とする請求項１記載のコネクタ。
【発明の詳細な説明】
【技術分野】
【０００１】
本発明は、コネクタに関するものである。
【背景技術】
【０００２】
特許文献１には、合成樹脂製のハウジング内に複数のキャビティを形成し、各キャビティ内に後方から端子金具を挿入したコネクタが開示されている。端子金具の前端側領域は相手側端子との接続手段として機能する端子接続部となっており、後端側領域はオープンバレル状の電線圧着部となっている。電線圧着部は、前端側領域に配置されて電線の導体が圧着されるワイヤバレル部と、後端側領域に配置されて電線の絶縁被覆で覆われた部分が圧着されるインシュレーションバレル部とから構成されており、ワイヤバレル部とインシュレーションバレル部は、その底壁同士が繋がった形態となっている。
【特許文献１】特開２００５−２２２８１５公報
【発明の開示】
【発明が解決しようとする課題】
【０００３】
導体をアルミニウム製とした場合、その表面の酸化被膜を除去するためにワイヤバレル部に対する締付けを強くしなければならないのであるが、締付けを強くすると、ワイヤバレル部の底壁が前後方向に伸び、その結果、端子金具の全長が長くなる。キャビティの前面壁は、挿入された端子金具を前止まりするためのストッパとなっているので、端子金具が伸びた分だけ、端子金具の後端が後方へずれることになる。
【０００４】
端子金具の後端の位置が後方へずれると、キャビティの後端の挿入口から端子金具の後端までの距離が短くなるが、このことは、隣り合うキャビティ内に挿入されている２つの端子金具の後端同士の間における挿入口を介した沿面距離が短くなることを意味する。端子金具間の沿面距離が短くなると、この端子金具間においてリーク電流が生じることが懸念される。
本発明は上記のような事情に基づいて完成されたものであって、隣り合うキャビティ内に挿入されている端子金具間における電流のリークを防止することを目的とする。
【課題を解決するための手段】
【０００５】
上記の目的を達成するための手段として、請求項１の発明は、後端面に開口するように複数のキャビティが並んで形成されているハウジングと、前記キャビティに後方から挿入される端子金具と、前記端子金具のオープンバレル状の電線圧着部に接続された電線とを備え、前記電線圧着部は、前端側領域に配置されて電線の導体を圧着させるワイヤバレル部と、後端側領域に配置されて前記電線の絶縁被覆で覆われた部分を圧着させるインシュレーションバレル部とから構成され、前記ワイヤバレル部と前記インシュレーションバレル部は、その底壁同士において互いに連なった形態となっているコネクタにおいて、前記ハウジングの後端部には、前記キャビティの内周面から前記ハウジングの後端面に至る領域内の少なくとも一部を屈曲させた形態の屈曲面が形成されているところに特徴を有する。
【０００６】
請求項２の発明は、請求項１に記載のものにおいて、前記屈曲面は、前記キャビティの内周面に形成され、後方に向かって前記キャビティの横断面積を順次に拡大させるように段差状に屈曲した形態であるところに特徴を有する。
【０００７】
請求項３の発明は、請求項１に記載のものにおいて、前記屈曲面は、前記ハウジングの後端面を前記キャビティの開口を囲むような溝状に凹ませることによって形成されているところに特徴を有する。
【発明の効果】
【０００８】
＜請求項１〜請求項３の発明＞
ワイヤバレル部において圧着時の締付けを強くした場合、ワイヤバレル部の底壁が前後方向に伸びて端子金具の後端が後方へずれるため、隣り合うキャビティ内に挿入されている端子金具間で電流のリークの発生が懸念される。しかし、本発明では、キャビティの内周面からハウジングの後端面に至る領域に屈曲面を形成したので、隣り合うキャビティ内に挿入されている端子金具の後端同士の間の沿面距離が長くなる。これにより、隣り合うキャビティ内に挿入されている端子金具間における電流のリークが防止される。
【発明を実施するための最良の形態】
【０００９】
＜実施形態１＞
以下、本発明を具体化した実施形態１を図１を参照して説明する。本実施形態のコネクタは、合成樹脂製のハウジング１０内に複数のキャビティ１１を形成し、各キャビティ１１内に後方から端子金具２０を挿入したものであり、端子金具２０には、挿入前に電線３０の前端部が圧着により接続されている。キャビティ１１は、前後方向に細長く、ハウジング１０の前後両端に開口している。キャビティ１１の後端部は、ハウジング１０の後端面において挿入口１２として方形に開口している。複数のキャビティ１１は、上下２段に別れて左右に一定ピッチで並列するように配置されている。
【００１０】
端子金具２０は、所定形状に打ち抜いた金属板材に曲げ加工等を施すことによって形成された雌形のものであり、前端側領域は角筒状をなす端子接続部２１となっており、後端側領域はオープンバレル状の電線圧着部２２となっている。端子接続部２１は、雄形の相手端子に形成されている細長いタブ（図示せず）との接続手段として機能する周知形態のものである。
【００１１】
電線圧着部２２は、その前端側領域のワイヤバレル部２３と、後端側領域のインシュレーションバレル部２４とを備えて構成されている。ワイヤバレル部２３は、底壁２３Ａの左右両側縁から一対のカシメ片２３Ｂを立ち上げた形態であり、このワイヤバレル部２３には、電線３０の導体３１が圧着により導通可能に接続されている。圧着の際には、底壁２３Ａに載置した導体３１に対しカシメ片２３Ｂを変形させて巻き付けることで、導体３１がワイヤバレル部２３で包囲される。インシュレーションバレル部２４は底壁２４Ａから一対のカシメ片２４Ｂを立ち上げた形態であり、このインシュレーションバレル部２４の底壁２４Ａとワイヤバレル部２３の底壁２３Ａとは互いに前後に連なっている。インシュレーションバレル部２４には、電線３０における絶縁被覆３２で覆われた部分が、ワイヤバレル部２３と同様に圧着により固着されている。
【００１２】
電線３０の導体３１の材料としては、銅や、銅よりも剛性が高い材料（例えば、アルミニウム）や、銅よりも導電率の低い材料（例えば、アルミニウム）が用いられる。導体３１としてアルミニウムが用いられた場合には、その表面の酸化被膜を除去するためにワイヤバレル部２３に対する締付けを強くするが、締付けを強くすると、ワイヤバレル部２３の底壁２３Ａが前後方向に伸び、その結果、インシュレーションバレル部２４が後方へ変位して端子金具２０の全長が長くなる。キャビティ１１の前面壁は、挿入された端子金具２０を前止まりするためのストッパとなっているので、端子金具２０が伸びた分だけ、端子金具２０の後端が後方へずれることになる。
【００１３】
端子金具２０の後端が後方へずれて、キャビティ１１の後端の挿入口１２から端子金具２０の後端までの距離が短くなると、隣り合うキャビティ１１内に挿入されている２つの端子金具２０の後端同士の間における挿入口１２を介した沿面距離も短くなるため、これらの端子金具２０間においてリーク電流が生じることが懸念される。
【００１４】
その対策として、本実施形態では、ハウジング１０の後端部に隣り合う端子金具２０間の沿面距離を延長するための手段として、ハウジング１０の後端部のうちキャビティ１１の内周面からハウジング１０の後端面に至る領域内の少なくとも一部を屈曲させた形態の屈曲面１３を形成している。具体的には、屈曲面１３は、キャビティ１１の内周面における後端部に形成され、その形成領域は上下両面及び左右両側面の全体に亘っている。図１に示すように端子金具２０の挿入方向と平行に切断した断面図における屈曲面１３の形状は、挿入方向と平行な面１３Ａと挿入方向と直角な面１３Ｂとが交互に且つ直角に連続した階段状に屈曲している。つまり、キャビティ１１のうち屈曲面１３の形成されている領域では、端子金具２０の挿入方向と直角なキャビティ１１の横断面積が順次に拡大するようになっている。
【００１５】
このような屈曲面１３を形成したことにより、屈曲面１３の前端からハウジング１０の後端面に至る沿面距離は、屈曲面１３を形成しない場合に比べて延長されている。これにより、隣り合うキャビティ１１内に挿入されている端子金具２０の後端同士の間の沿面距離が長くなり、隣り合うキャビティ１１内に挿入されている端子金具２０間における電流のリークが防止される。
【００１６】
＜実施形態２＞
次に、本発明を具体化した実施形態２を図２を参照して説明する。本実施形態２は、ハウジング４０の後端部に形成した屈曲面４３を上記実施形態１とは異なる構成としたものである。その他の構成については上記実施形態１と同じであるため、同じ構成については、同一符号を付し、構造、作用及び効果の説明は省略する。
【００１７】
本実施形態２の屈曲面４３も、実施形態１のものと同様、ハウジング４０の後端部のうちキャビティ４１の内周面からハウジング４０の後端面に至る領域内の少なくとも一部を屈曲させた形態であり、ハウジング４０の後端面をキャビティ４１の開口（挿入口４２）を囲むような溝状に凹ませることによって形成されている。この溝状の凹部４４は、挿入口４２を全周に亘って連続して包囲するような方形をなしており、この凹部４４内の面が、隣り合うキャビティ４１内の端子金具２０間の沿面距離を延長するための屈曲面４３として機能する。
【００１８】
＜他の実施形態＞
本発明は上記記述及び図面によって説明した実施形態に限定されるものではなく、例えば次のような実施態様も本発明の技術的範囲に含まれる。
（１）上記実施形態では屈曲面を、キャビティの内周面とハウジングの後端面のうちいずれか一方の面のみに形成したが、本発明によれば、キャビティの内周面とハウジングの後端面の両方の面に屈曲面を形成してもよい。
【図面の簡単な説明】
【００１９】
【図１】実施形態１の断面図
【図２】実施形態２の断面図
【符号の説明】
【００２０】
１０…ハウジング
１１…キャビティ
１３…屈曲面
２０…端子金具
２２…電線圧着部
２３…ワイヤバレル部
２３Ａ…ワイヤバレル部の底壁
２４…インシュレーションバレル部
２４Ａ…インシュレーションバレル部の底壁
３０…電線
３１…導体
３２…絶縁被覆
４０…ハウジング
４１…キャビティ
４３…屈曲面
【図１】
2010040453.tif 000003
【図２】
2010040453.tif 000004